(57)【要約】【課題】  リフレクタの破損を防止するとともに、ランプの冷却効率が高い投写型表示装置を提供する。【解決手段】  投写型表示装置は、光源１０を備える。光源１０は、ランプ１と、金属リフレクタ２とを含む。金属リフレクタ２は、重力方向ＤＲ１においてランプ１の発光点１Ａの上部に配置された開口部２Ａを有する。ダクト１１は、一方端が開口部２Ａに連結され、ファンから送られた空気を開口部２Ａを介して金属リフレクタ２内へ導入する。そして、金属リフレクタ２内に導入された空気は、金属リフレクタ２内を循環してランプ１の発光点１Ａを冷却した後、前面ガラス３と、金属リフレクタ２のフランジ２０２との間の貫通孔を介して金属リフレクタ２の外部へ放出される。【選択図】        図２
2006337678.tif 000002
【特許請求の範囲】
【請求項１】
白色光を出射する光源と、
前記白色光によって画像をスクリーン上に投写する投写手段と、
前記光源を冷却する冷却手段とを備え、
前記光源は、
ランプと、
前記ランプから出射された白色光を反射して平行光からなる白色光を前記投写手段に導く金属リフレクタとを含み、
前記ランプは、発光点が前記金属リフレクタの焦点位置に配置され、
前記金属リフレクタは、前記平行光からなる白色光の進行方向に垂直な方向から前記焦点位置を通過する直線との交差部に設けられた開口部を有し、
前記冷却手段は、前記開口部を介して前記ランプおよび／または前記金属リフレクタを冷却する、投写型表示装置。
【請求項２】
前記開口部は、重力方向において前記焦点位置の上部に配置され、
前記冷却手段は、
一方端が前記開口部に連結されたダクトと、
前記ダクトおよび前記開口部を介して前記金属リフレクタ内に送風するファンとを含む、請求項１に記載の投写型表示装置。
【請求項３】
前記光源は、前記平行光からなる白色光の出射面側に設けられたガラスをさらに含み、
前記ガラスと前記金属リフレクタとの接触部は、前記金属リフレクタの内外に通じる貫通孔を含む、請求項２に記載の投写型表示装置。
【請求項４】
前記開口部は、
重力方向において前記焦点位置の上部に配置された第１の開口部と、
前記重力方向において前記焦点位置を中心にして前記第１の開口部と略対称な位置に設けられた第２の開口部とからなり、
前記冷却手段は、
一方端が前記第１の開口部に連結されたダクトと、
前記ダクトおよび前記第１の開口部を介して前記金属リフレクタ内に送風するファンとを含む、請求項１に記載の投写型表示装置。
【請求項５】
前記光源は、前記第２の開口部の外側に設けられ、前記ランプからの白色光を前記金属リフレクタ内へ反射する反射鏡をさらに含む、請求項４に記載の投写型表示装置。
【請求項６】
前記光源は、前記平行光からなる白色光の出射面側に設けられたガラスをさらに含み、
前記金属リフレクタは、重力方向において前記焦点位置よりも下側であって、かつ、前記ガラスと前記金属リフレクタとの接触部の近傍に設けられたもう１つの開口部をさらに有し、
前記開口部は、前記重力方向において前記焦点位置の上部に配置され、
前記冷却手段は、
一方端が前記開口部に連結されたダクトと、
前記ダクトおよび前記開口部を介して前記金属リフレクタ内に送風するファンとを含む、請求項１に記載の投写型表示装置。
【請求項７】
前記金属リフレクタは、前記平行光からなる白色光の進行方向における断面形状が略直線である部分を前記接触部の近傍に有し、
前記もう１つの開口部は、前記断面形状が略直線である部分に設けられる、請求項６に記載の投写型表示装置。
【請求項８】
前記金属リフレクタは、略パラボラ形状からなり、
前記冷却手段は、前記金属リフレクタの外周面に沿って前記パラボラ形状の頂点側から前記開口部へ向けて送風するファンを含む、請求項１に記載の投写型表示装置。
【発明の詳細な説明】
【技術分野】
【０００１】
この発明は、カラー画像を表示する投写型表示装置に関するものである。
【背景技術】
【０００２】
従来、会議、学会および展示会等におけるプレゼンテーションまたは家庭における映画鑑賞等にプロジェクタが用いられている。このようなプロジェクタは、外装ケース内に設けられた光源から射出された光束を画像情報に応じて変調して光学像を形成し、この光学像を拡大投写する。そして、近年のプロジェクタにおいては、投写される光学像を鮮明に表示するために、光源ランプの高輝度化が要求されている。
【０００３】
プロジェクタの光源ランプとしては、高圧水銀ランプおよびメタルハライドランプ等が使用されているが、これらのランプは、消耗品であり、交換する必要がある。また、ランプの寿命に伴って、石英ガラス等で作られた発光管が破裂して、その破片がプロジェクタ内に飛び散る可能性がある。さらに、光源ランプは、その高輝度化に伴って大きな熱を発生するため、この発熱を外部に排出して冷却することにより、光源ランプの破裂を防止する必要がある。
【０００４】
そこで、光源ランプを冷却する機構を有する従来の光源装置として、次のような光源装置が知られている（特許文献１）。図１４は、従来の光源装置を示す概略図である。図１４を参照して、従来の光源装置４００は、光源４０１と、リフレクタ４０２と、光透過性部材４０３と、筐体４０４とを備える。
【０００５】
光透過性部材４０３は、リフレクタ４０２の光束射出面を塞ぐ。筐体４０４は、光源４０１、リフレクタ４０２および光透過性部材４０３を収納する。そして、リフレクタ４０２には、開口部４０２Ａが設けられており、筐体４０４には、開口部４０４Ａが設けられている。
【０００６】
筐体４０４に設けられた開口部４０４Ａは、リフレクタ４０２に設けられた開口部４０２Ａに対応した位置に設けられる。そして、開口部４０４Ａには、光束射出面側が開口したダクト４０５が連結されている。
【０００７】
光源装置４００が光学機器に装着されると、ダクト４０５は、光束射出面側に突出し、ファン４１０と連結される。これに伴って、開口部４０４Ａは、開口され、ファン４１０からの空気が矢印Ａによって示すようにリフレクタ４０２内に導入される。そして、リフレクタ４０２内に導入された空気は、リフレクタ４０２内を通って矢印Ｂによって示すようにリフレクタ４０２の開口部４０２Ｂから外部へ放出される。これにより、光源４０１は、冷却される。
【特許文献１】特開２００４−２５８２１１号公報
【発明の開示】
【発明が解決しようとする課題】
【０００８】
しかし、特許文献１に開示された従来の光源装置においては、リフレクタ内に導入された空気は、ランプの発光点から離れた光束射出面側を通過するため、ランプの冷却効率が低いという問題がある。
【０００９】
また、従来の光源装置において、リフレクタをガラスで作製した場合、ランプが万一破裂すると、リフレクタ自体も破損するという問題もある。
【００１０】
そこで、この発明は、かかる問題を解決するためになされたものであり、その目的は、リフレクタの破損を防止するとともに、ランプの冷却効率が高い投写型表示装置を提供することである。
【課題を解決するための手段】
【００１１】
この発明によれば、投写型表示装置は、光源と、投写手段と、冷却手段とを備える。光源は、白色光を出射する。投写手段は、白色光によって画像をスクリーン上に投写する。冷却手段は、光源を冷却する。光源は、ランプと、金属リフレクタとを含む。金属リフレクタは、ランプから出射された白色光を反射して平行光からなる白色光を投写手段に導く。そして、ランプは、発光点が金属リフレクタの焦点位置に配置される。金属リフレクタは、平行光からなる白色光の進行方向に垂直な方向から焦点位置を通過する直線との交差部に設けられた開口部を有する。冷却手段は、開口部を介してランプおよび／または金属リフレクタを冷却する。
【００１２】
好ましくは、開口部は、重力方向において焦点位置の上部に配置される。冷却手段は、ダクトと、ファンとを含む。ダクトは、一方端が開口部に連結される。ファンは、ダクトおよび開口部を介して金属リフレクタ内に送風する。
【００１３】
好ましくは、光源は、平行光からなる白色光の出射面側に設けられたガラスをさらに含む。そして、ガラスと金属リフレクタとの接触部は、金属リフレクタの内外に通じる貫通孔を含む。
【００１４】
好ましくは、開口部は、第１および第２の開口部からなる。第１の開口部は、重力方向において焦点位置の上部に配置される。第２の開口部は、重力方向において焦点位置を中心にして第１の開口部と略対称な位置に設けられる。冷却手段は、ダクトと、ファンとを含む。ダクトは、一方端が第１の開口部に連結される。ファンは、ダクトおよび第１の開口部を介して金属リフレクタ内に送風するファンとを含む。
【００１５】
好ましくは、光源は、第２の開口部の外側に設けられ、ランプからの白色光を金属リフレクタ内へ反射する反射鏡をさらに含む。
【００１６】
好ましくは、光源は、平行光からなる白色光の出射面側に設けられたガラスをさらに含む。金属リフレクタは、重力方向において焦点位置よりも下側であって、かつ、ガラスと金属リフレクタとの接触部の近傍に設けられたもう１つの開口部をさらに有する。開口部は、重力方向において焦点位置の上部に配置される。冷却手段は、ダクトと、ファンとを含む。ダクトは、一方端が開口部に連結される。ファンは、ダクトおよび開口部を介して金属リフレクタ内に送風する。
【００１７】
好ましくは、金属リフレクタは、平行光からなる白色光の進行方向における断面形状が略直線である部分を接触部の近傍に有する。もう１つの開口部は、断面形状が略直線である部分に設けられる。
【００１８】
好ましくは、金属リフレクタは、略パラボラ形状からなる。冷却手段は、金属リフレクタの外周面に沿ってパラボラ形状の頂点側から開口部へ向けて送風するファンを含む。
【発明の効果】
【００１９】
この発明による投写型表示装置においては、光源のランプは、光源から出射された白色光の進行方向に垂直な方向から焦点位置（＝ランプの発光点）を通過する直線と金属リフレクタとの交差部に設けられた開口部を介して金属リフレクタ内に導入された空気によって冷却される。つまり、ランプの発光点が空気によって直接冷却される。
【００２０】
したがって、この発明によれば、リフレクタの破損を防止してランプを効率的に冷却できる。
【発明を実施するための最良の形態】
【００２１】
本発明の実施の形態について図面を参照しながら詳細に説明する。なお、図中同一または相当部分には同一符号を付してその説明は繰返さない。
【００２２】
［実施の形態１］
図１は、この発明の実施の形態１による投写型表示装置の概略図である。図１を参照して、この発明の実施の形態１による投写型表示装置１００は、光源１０と、ダクト１１と、ファン１２と、フライアイレンズ１３，１４と、偏光変換素子１５と、コンデンサーレンズ１６，１９Ｂ，１９Ｇ，１９Ｒと、ダイクロイックミラー１７，２２と、全反射ミラー１８，２６，２７と、液晶表示素子２０Ｂ，２０Ｇ，２０Ｒと、ダイクロイックプリズム２１と、レンズ２３，２４と、投写レンズ３０とを備える。
【００２３】
光源１０は、ランプ１と、金属リフレクタ２と、前面ガラス３とを含む。ランプ１は、金属リフレクタ２内に配置される。金属リフレクタ２は、開口部２Ａを有する。前面ガラス３は、金属リフレクタ２の光出射面側を塞ぐ。
【００２４】
ダクト１１は、一方端が金属リフレクタ２の開口部２Ａに連結される。フライアイレンズ１３，１４は、凸レンズ群からなり、フライアイインテグレータを構成する。そして、フライアイレンズ１３，１４は、光源１０の前面ガラス３に対向して配置される。偏光変換素子１５は、フライアイレンズ１４とコンデンサーレンズ１６との間に配置され、コンデンサーレンズ１６は、偏光変換素子１５とダイクロイックミラー１７との間に配置される。
【００２５】
ダイクロイックミラー１７は、全反射ミラー１８およびダイクロイックミラー２２とコンデンサーレンズ１６との間に配置される。全反射ミラー１８は、ダイクロイックミラー１７とコンデンサーレンズ１９Ｂとの間に配置される。
【００２６】
コンデンサーレンズ１９Ｂは、全反射ミラー１８と液晶表示素子２０Ｂとの間に配置される。コンデンサーレンズ１９Ｇは、液晶表示素子２０Ｇとダイクロイックミラー２２との間に配置される。コンデンサーレンズ１９Ｒは、液晶表示素子２０Ｒと全反射ミラー２７との間に配置される。
【００２７】
液晶表示素子２０Ｂは、コンデンサーレンズ１９Ｂとダイクロイックプリズム２１との間に配置される。液晶表示素子２０Ｇは、コンデンサーレンズ１９Ｇとダイクロイックプリズム２１との間に配置される。液晶表示素子２０Ｒは、コンデンサーレンズ１９Ｒとダイクロイックプリズム２１との間に配置される。液晶表示素子２０Ｂ，２０Ｇ，２０Ｒの各々は、入射側偏光板ＰＩ、液晶ＬＣおよび出射側偏光板ＰＯからなる。
【００２８】
ダイクロイックプリズム２１は、液晶表示素子２０Ｂ，２０Ｇ，２０Ｒと投写レンズ３０との間に配置される。ダイクロイックミラー２２は、コンデンサーレンズ１９Ｇおよびレンズ２３とダイクロイックミラー１７との間に配置される。レンズ２３は、ダイクロイックミラー２２と全反射ミラー２６との間に配置される。全反射ミラー２６は、レンズ２３，２４間に配置される。レンズ２４は、全反射ミラー２６，２７間に配置される。全反射ミラー２７は、コンデンサーレンズ１９Ｒとレンズ２４との間に配置される。投写レンズ３０は、ダイクロイックプリズム２１の出射面２１Ａに対向して配置される。
【００２９】
光源１０は、ランプ１から出射された白色光を平行光からなる白色光に変換して前面ガラス３からフライアイレンズ１３へ出射する。ダクト１１は、ファン１２からの空気を開口部２Ａを介して金属リフレクタ２内に導く。ファン１２は、空気をダクト１１および開口部２Ａを介して金属リフレクタ２内に導く。
【００３０】
フライアイレンズ１３，１４からなるフライアイインテグレータは、光源１０から出射された白色光を光束分割し、その光束分割した白色光を収束して偏光変換素子１５へ入射させる。偏光変換素子１５は、フライアイレンズ１４から受けた光束分割された白色光の各々の偏光方向を揃えてコンデンサーレンズ１６へ出射する。コンデンサーレンズ１６は、偏光変換素子１５からの白色光をダイクロイックミラー１７へ導く。
【００３１】
ダイクロイックミラー１７は、コンデンサーレンズ１６からの白色光のうち、青色帯域光を全反射ミラー１８の方向へ反射するとともに、赤色帯域光〜緑色帯域光をダイクロイックミラー２２へ透過する。
【００３２】
全反射ミラー１８は、ダイクロイックミラー１７から受けた青色帯域光の光路を９０度変えてコンデンサーレンズ１９Ｂに導く。コンデンサーレンズ１９Ｂは、全反射ミラー１８からの青色帯域光を液晶表示素子２０Ｂに導く。液晶表示素子２０Ｂは、コンデンサーレンズ１９Ｂから受けた青色帯域光を入力信号に応じて光変調してダイクロイックプリズム２１に入射させる。
【００３３】
ダイロイックミラー２２は、ダイロイックミラー１７から受けた赤色帯域光〜緑色帯域光のうち、緑色帯域光をコンデンサーレンズ１９Ｇへ反射するとともに、赤色帯域光をレンズ２３へ透過する。
【００３４】
コンデンサーレンズ１９Ｇは、ダイクロイックミラー２２から受けた緑色帯域光を液晶表示素子２０Ｇへ導き、液晶表示素子２０Ｇは、コンデンサーレンズ１９Ｇから受けた緑色帯域光を入力信号に応じて光変調してダイクロイックプリズム２１に入射させる。
【００３５】
レンズ２３は、ダイクロイックミラー２２からの赤色帯域光を全反射ミラー２６へ導き、全反射ミラー２６は、赤色帯域光の光路を９０度変えて赤色帯域光をレンズ２４に導く。レンズ２４は、全反射ミラー２６からの赤色帯域光を全反射ミラー２７へ導き、全反射ミラー２７は、赤色帯域光をコンデンサーレンズ１９Ｒへ導く。
【００３６】
コンデンサーレンズ１９Ｒは、全反射ミラー２７からの赤色帯域光を液晶表示素子２０Ｒに導き、液晶表示素子２０Ｒは、コンデンサーレンズ１９Ｒからの赤色帯域光を入力信号によって光変調してダイクロイックプリズム２１へ入射させる。
【００３７】
ダイクロイックプリズム２１は、液晶表示素子２０Ｂ，２０Ｒからそれぞれ受けた青色帯域光および赤色帯域光の光路を９０度変えるとともに、液晶表示素子２０Ｇから受けた緑色帯域光をそのまま透過させ、青色帯域光、緑色帯域光および赤色帯域光を投写レンズ３０へ入射させる。投写レンズ３０は、ダイクロイックプリズム２１から受けた青色帯域光、緑色帯域光および赤色帯域光を拡大投影してスクリーン（図示せず）上に結像させる。
【００３８】
図２は、図１に示す光源１０を詳細に説明するための概略図である。図２を参照して、ランプ１は、その発光点１Ａが金属リフレクタ２の焦点位置ＦＰに一致するように金属リフレクタ２内に固定される。焦点位置ＦＰは、例えば、金属リフレクタ２の頂点２Ｔから６ｍｍの位置に設けられる。
【００３９】
金属リフレクタ２は、重力方向ＤＲ１において略放物線からなる断面形状を有する。なお、金属リフレクタ２は、全体的には、略パラボラ形状からなる。そして、金属リフレクタ２は、アルミニウム（Ａｌ）からなる内面２０１を有し、ランプ１からの白色光を内面２０１によって反射して平行光からなる白色光を前面ガラス３を介して出射する。
【００４０】
金属リフレクタ２の開口部２Ａは、例えば、３ｍｍφの直径を有し、重力方向ＤＲ１において焦点位置ＦＰの上部に設けられる。そして、開口部２Ａおよび焦点位置ＦＰは、重力方向ＤＲ１に延伸する線ＡＸ上に載る。また、金属リフレクタ２は、フランジ２０２を有する。そして、前面ガラス３は、クリップ４によってフランジ２０２に固定される。
【００４１】
図３は、図２に示す方向ＤＲ２から見た光源１０の平面図である。なお、図３においては、ランプ１は、省略されている。図３を参照して、フランジ２０２は、外周部２０２１と内周部２０２２とからなる。外周部２０２１は、内周部２０２２よりも紙面手前へ突出している。そして、内周部２０２２は、切欠部２０２Ａを有する。前面ガラス３は、フランジ２０２の内周部２０２２の外径よりも小さい直径を有し、内周部２０２２上に配置される。その結果、切欠部２０２Ａは、その一部が前面ガラス３によって覆われず、金属リフレクタ２の内部と外部とを貫通する貫通孔を構成する。
【００４２】
再び、図２を参照して、ランプ１が点灯すると、ランプ１の発光点１Ａの上部ＴＰは、平均８５０℃（８００℃〜９００℃の範囲）まで昇温され、発光点１Ａの下部ＢＰは、約７００℃程度まで昇温される。このように、発光点１Ａの上部ＴＰは、下部ＢＰよりも温度が高くなる。
【００４３】
ファン１２は、ダクト１１および開口部２Ａを介して空気を金属リフレクタ２内に導く。即ち、ファン１２は、ランプ１の発光点１Ａのうち、温度が高くなる上部ＴＰ側から空気を金属リフレクタ２内に導く。そして、金属リフレクタ２内に導入された空気は、金属リフレクタ２内を循環してランプ１の発光点１Ａおよび金属リフレクタ２の内面２０１を冷却した後、矢印５によって示すように、貫通孔を構成する切欠部２０２Ａ（図３参照）を介して金属リフレクタ２の外部へ放出される。
【００４４】
このように、実施の形態１においては、ランプ１の発光点１Ａの上部に設けられた開口部２Ａを介して金属リフレクタ２内に導入された空気によって、発光点１Ａを高温部（上部ＴＰ）から冷却し、その冷却に用いた空気を前面ガラス３側から金属リフレクタ２の外部へ放出する。また、ランプ１を収納する金属リフレクタ２は、金属からなる。
【００４５】
したがって、リフレクタの破損を防止してランプ１を効率的に冷却できる。
【００４６】
［実施の形態２］
図４は、実施の形態２による投写型表示装置の概略図である。図４を参照して、実施の形態２による投写型表示装置１００Ａは、図１に示す投写型表示装置１００の光源１０を光源１０Ａに代えたものであり、その他は、投写型表示装置１００と同じである。
【００４７】
光源１０Ａは、図１に示す光源１０の金属リフレクタ２を金属リフレクタ２０に代えたものであり、その他は、光源１０と同じである。金属リフレクタ２０は、図１に示す金属リフレクタ２に開口部２Ｂを追加したものであり、その他は、金属リフレクタ２と同じである。
【００４８】
図５は、図４に示す光源１０Ａを詳細に説明するための概略図である。図５を参照して、開口部２Ｂは、重力方向ＤＲ１において焦点位置ＦＰを中心にして開口部２Ａと対称な位置に設けられる。そして、開口部２Ｂは、例えば、３ｍｍφの直径を有する。
【００４９】
開口部２Ｂを設けることにより、ファン１２によって金属リフレクタ２０内に導入された空気は、ランプ１の発光点１Ａを上部ＴＰおよび下部ＢＰの順に冷却して開口部２Ｂから金属リフレクタ２０外へ放出される。すなわち、金属リフレクタ２０内に導入された空気は、矢印６によって示すように、発光部１Ａを冷却して金属リフレクタ２０外へ放出される。
【００５０】
その結果、ランプ１の発光点１Ａから熱を奪った空気は、金属リフレクタ２０内に殆ど滞留せずに金属リフレクタ２０外へ放出される。したがって、ランプ１をさらに効率的に冷却できるとともに、金属リフレクタ２０の昇温を防止できる。
【００５１】
その他は、実施の形態１と同じである。
【００５２】
［実施の形態３］
図６は、実施の形態３による投写型表示装置の概略図である。図６を参照して、実施の形態３による投写型表示装置１００Ｂは、図４に示す投写型表示装置１００Ａの光源１０Ａを光源１０Ｂに代えたものであり、その他は、投写型表示装置１００Ａと同じである。
【００５３】
光源１０Ｂは、図４に示す光源１０Ａに反射鏡７を追加したものであり、その他は、光源１０Ａと同じである。
【００５４】
図７は、図６に示す光源１０Ｂを詳細に説明するための概略図である。図７を参照して、反射鏡７は、金属リフレクタ２０の開口部２Ｂに対向して配置される。この場合、反射鏡７と金属リフレクタ２０との間隔は、１〜２ｍｍの範囲である。そして、反射鏡７は、アルミニウム面からなる内面７Ａを有し、ランプ１の発光部１Ａからの白色光を内面７Ａによって金属リフレクタ２０内へ反射する。
【００５５】
ファン１２によって金属リフレクタ２０内に導入された空気は、ランプ１の発光部１Ａを上部ＴＰおよび下部ＢＰの順に冷却した後、矢印６Ａによって示されるように開口部２Ｂを介して金属リフレクタ２０の外部へ放出される。
【００５６】
このように、実施の形態３においては、金属リフレクタ２０の焦点位置ＦＰを中心にして略対称に設けられた開口部２Ａ，２Ｂを用いてランプ１の発光点１Ａを効率的に空冷するとともに、金属リフレクタ２０によって反射できない白色光を反射鏡７によって金属リフレクタ２０内へ反射する。
【００５７】
したがって、スクリーン上に投写される画像の明度を低下させることなく、ランプ１を効率的に冷却できる。
【００５８】
その他は、実施の形態１，２と同じである。
【００５９】
［実施の形態４］
図８、実施の形態４による投写型表示装置の概略図である。実施の形態４による投写型表示装置１００Ｃは、図１に示す投写型表示装置１００の光源１０を光源１０Ｃに代えたものであり、その他は、投写型表示装置１００と同じである。
【００６０】
光源１０Ｃは、図１に示す光源１０の金属リフレクタ２を金属リフレクタ２００に代えたものであり、その他は、光源１０と同じである。金属リフレクタ２００は、図１に示す金属リフレクタ２に開口部２Ｃを追加したものであり、その他は、金属リフレクタ２と同じである。
【００６１】
図９は、図８に示す光源１０Ｃを詳細に説明するための概略図である。図９を参照して、開口部２Ｃは、重力方向ＤＲ１において焦点位置ＦＰを中心にして開口部２Ａと略対称な位置に設けられる。そして、開口部２Ｃは、スリットからなり、ダクト１１および開口部２Ａを介してファン１２から送られた空気を矢印６Ｂによって示すように金属リフレクタ２００の外部へ放出するとともに、ランプ１の発光部１Ａから出射された白色光を金属リフレクタ２００内へ反射する。この場合、開口部２Ｃは、反射によって平行光からなる白色光を生成する。
【００６２】
このように、実施の形態４においては、金属リフレクタ２００の焦点位置ＦＰを中心にして略対称に設けられた開口部２Ａ，２Ｃを用いてランプ１の発光点１Ａを効率的に空冷するとともに、金属リフレクタ２００（開口部２Ｃを含む）によってランプ１から出射された白色光を反射して平行光からなる白色光を生成する。
【００６３】
したがって、スクリーン上に投写される画像の明度を低下させることなく、ランプ１を効率的に冷却できる。
【００６４】
その他は、実施の形態１と同じである。
【００６５】
［実施の形態５］
図１０は、実施の形態５による投写型表示装置の概略図である。図１０を参照して、実施の形態５による投写型表示装置１００Ｄは、図１に示す投写型表示装置１００の光源１０を光源１０Ｄに代えたものであり、その他は、投写型表示装置１００と同じである。
【００６６】
光源１０Ｄは、図１に示す光源１０の金属リフレクタ２を金属リフレクタ２１０に代えたものであり、その他は、光源１０と同じである。金属リフレクタ２１０は、図１に示す金属リフレクタ２に開口部２Ｄを追加したものであり、その他は、金属リフレクタ２と同じである。
【００６７】
図１１は、図１０に示す光源１０Ｄを詳細に説明するための概略図である。図１１を参照して、金属リフレクタ２１０は、光源１０Ｄから出射された白色光の進行方向ＤＲ３において断面形状が略直線である部分２０３を有する。この部分２０３は、ランプ１から出射された白色光を殆ど反射しない部分である。
【００６８】
開口部２Ｄは、重力方向において金属リフレクタ２１０の焦点位置ＦＰよりも下側であって、前面ガラス３１と金属リフレクタ２１０のフランジ２０２との接触部３１の近傍に設けられる。すなわち、開口部２Ｄは、重力方向において金属リフレクタ２１０の焦点位置ＦＰよりも下側であって、断面形状が略直線である部分２０３に設けられる。そして、開口部２Ｄは、例えば、３ｍｍφの直径を有する。
【００６９】
ダクト１１を介して金属リフレクタ２１０内に導入された空気は、ランプ１の発光点１Ａを上部ＴＰおよび下部ＢＰの順に冷却した後、矢印６Ｃによって示すように、開口部２Ｄから金属リフレクタ２１０の外部へ放出される。
【００７０】
このように、実施の形態５においては、ランプ１の発光点１Ａの上部に設けられた開口部２Ａを介して金属リフレクタ２１０内に導入された空気によって、発光点１Ａを高温部（上部ＴＰ）から冷却し、その冷却に用いた空気をランプ１から出射された白色光の反射に殆ど寄与しない部分２０３に設けられた開口部２Ｄを介して金属リフレクタ２１０の外部へ放出する。
【００７１】
したがって、スクリーン上に投写される画像の明度を低下させることなく、ランプ１を効率的に冷却できる。
【００７２】
その他は、実施の形態１と同じである。
【００７３】
［実施の形態６］
図１２は、実施の形態６による投写型表示装置の概略図である。図１２を参照して、実施の形態６による投写型表示装置１００Ｅは、図１に示す投写型表示装置１００のダクト１１を削除し、ファン１２を光源１０の後方（光源１０から出射された白色光の進行方向に対して後方）へ移動させたものであり、その他は、投写型表示装置１００と同じである。
【００７４】
図１３は、図１２に示す光源１０およびファン１２を詳細に説明するための概略図である。図１３を参照して、ファン１２は、金属リフレクタ２の頂点２Ｔよりも後方（白色光ＤＲ３の進行方向に対して後方）に配置される。そして、ファン１２は、金属リフレクタ２の外周面２０４に沿って開口部２Ａに向けて空気を送る。
【００７５】
ランプ１は、点灯すると、発光点１Ａの上部ＴＰは、上述したように８００℃〜９００℃に昇温されるので、発光点１Ａ近傍の空気は、暖められ、金属リフレクタ２の内部から外部へ流れ易くなる。特に、開口部２Ａは、発光点１Ａの上部に設けられているため、発光点１Ａによって昇温された空気は、開口部２Ａを介して金属リフレクタ２の外部へ放出され易い。そして、金属リフレクタ２の外部へ流れた空気は、ファン１２からの空気８によって矢印９で示すように流される。
【００７６】
その結果、発光点１Ａによって昇温された空気は、金属リフレクタ２の内部に滞留せず、ランプ１および金属リフレクタ２の昇温を抑制する。
【００７７】
したがって、ランプ１を効率的に冷却できる。
【００７８】
その他は、実施の形態１と同じである。
【００７９】
なお、この発明においては、フライアイレンズ１３，１４、偏光変換素子１５、コンデンサーレンズ１６，１９Ｂ，１９Ｇ，１９Ｒ、ダイクロイックミラー１７，２２、全反射ミラー１８，２６，２７、液晶表示素子２０Ｂ，２０Ｇ，２０Ｒ、ダイクロイックプリズム２１、レンズ２３，２４および投写レンズ３０は、光源１０，１０Ａ，１０Ｂ，１０Ｃ，１０Ｄから出射された白色光によって画像をスクリーン上に投写する「投写手段」を構成する。
【００８０】
また、上記においては、開口部２Ａは、重力方向ＤＲ１において金属リフレクタ２，２０，２００，２１０の焦点位置ＦＰの上部に設けられると説明したが、この発明においては、これに限らず、開口部２Ａは、光源１０，１０Ａ，１０Ｂ，１０Ｃ，１０Ｄから出射された白色光の進行方向に垂直な方向から焦点位置ＦＰを通過する直線と金属リフレクタ２，２０，２００，２１０との交差部に設けられていればよい。
【００８１】
そして、好ましくは、開口部２Ａは、重力方向ＤＲ１において、焦点位置ＦＰと同じ高さの交差部または焦点位置ＦＰよりも高い交差部に設けられる。
【００８２】
今回開示された実施の形態はすべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【産業上の利用可能性】
【００８３】
この発明は、リフレクタの破損を防止するとともに、ランプの冷却効率が高い投写型表示装置に適用される。
【図面の簡単な説明】
【００８４】
【図１】この発明の実施の形態１による投写型表示装置の概略図である。
【図２】図１に示す光源を詳細に説明するための概略図である。
【図３】図２に示す方向ＤＲ２から見た光源の平面図である。
【図４】実施の形態２による投写型表示装置の概略図である。
【図５】図４に示す光源を詳細に説明するための概略図である。
【図６】実施の形態３による投写型表示装置の概略図である。
【図７】図６に示す光源を詳細に説明するための概略図である。
【図８】実施の形態４による投写型表示装置の概略図である。
【図９】図８に示す光源を詳細に説明するための概略図である。
【図１０】実施の形態５による投写型表示装置の概略図である。
【図１１】図１０に示す光源を詳細に説明するための概略図である。
【図１２】実施の形態６による投写型表示装置の概略図である。
【図１３】図１２に示す光源およびファンを詳細に説明するための概略図である。
【図１４】従来の光源装置を示す概略図である。
【符号の説明】
【００８５】
１  ランプ、１Ａ  発光部、２，２０，２００  金属リフレクタ、２Ａ，２Ｂ，２Ｃ，２Ｄ，４０２Ａ，４０２Ｂ，４０４Ａ  開口部、３  前面ガラス、４  クリップ、５，６，６Ａ，６Ｂ，６Ｃ，９  矢印、７  反射鏡、７Ａ，２０１  内面、８  空気、１０，１０Ａ，１０Ｂ，１０Ｃ，１０Ｄ，４０１  光源、１１，４０５  ダクト、１２，４１０  ファン、１３，１４  フライアイレンズ、１５  偏光変換素子、１６，１９Ｂ，１９Ｇ，１９Ｒ  コンデンサーレンズ、１７，２２  ダイクロイックミラー、１８，２６，２７  全反射ミラー、２０Ｂ，２０Ｇ，２０Ｒ  液晶表示素子、２１  ダイクロイックプリズム、２３，２４  レンズ、３０  投写レンズ、１００，１００Ａ，１００Ｂ，１００Ｃ，１００Ｄ，１００Ｅ  投写型表示装置、２０２  フランジ、２０２Ａ  切欠部、２０３  部分、２０４  外周面、４００  光源装置、４０２  リフレクタ、４０３  光透過性部材、４０４  筐体、２０２１  外周部、２０２２  内周部。
【図１】
2006337678.tif 000003
【図２】
2006337678.tif 000004
【図３】
2006337678.tif 000005
【図４】
2006337678.tif 000006
【図５】
2006337678.tif 000007
【図６】
2006337678.tif 000008
【図７】
2006337678.tif 000009
【図８】
2006337678.tif 000010
【図９】
2006337678.tif 000011
【図１０】
2006337678.tif 000012
【図１１】
2006337678.tif 000013
【図１２】
2006337678.tif 000014
【図１３】
2006337678.tif 000015
【図１４】
2006337678.tif 000016